(57)【要約】【課題】装置の電力が不足すること。【解決手段】本発明の電源システムは、第１装置に電力を供給する２つの第１電力経路と、第２装置に電力を供給する２つの第２電力経路と、を有し、一方の第１電力経路は、第２装置に電力を供給可能なよう構成されており、一方の第２電力経路は、第１装置に電力を供給可能なよう構成されている。【選択図】図９
2018160118.tif 000002
【特許請求の範囲】
【請求項１】
第１装置に電力を供給する２つの第１電力経路と、
第２装置に電力を供給する２つの第２電力経路と、を有し、
一方の前記第１電力経路は、前記第２装置に電力を供給可能なよう構成されており、
一方の前記第２電力経路は、前記第１装置に電力を供給可能なよう構成されている、
電源システム。
【請求項２】
請求項１に記載の電源システムであって、
前記一方の第１電力経路による電力の供給先を、前記第１装置又は前記第２装置のいずれかに切り換えると共に、前記一方の第２電力経路による電力の供給先を、前記第２装置又は前記第１装置のいずれかに切り換えるスイッチを備えた、
電源システム。
【請求項３】
請求項２に記載の電源システムであって、
前記スイッチは、
前記一方の第１電力経路による電力の供給先を前記第１装置とし、前記一方の第２電力経路による電力の供給先を前記第２装置とした状態と、
前記一方の第１電力経路及び前記一方の第２電力経路による電力の供給先を、前記第１装置あるいは前記第２装置のいずれかとする状態と、
のいずれかに切り換える、
電源システム。
【請求項４】
請求項２又は３に記載の電源システムであって、
前記第１装置及び前記第２装置の少なくとも一方の消費電力量に基づいて、前記スイッチの動作を制御して、前記一方の第１電力経路及び前記一方の第２電力経路による電力の供給先を切り換える制御装置、
を備えた電源システム。
【請求項５】
請求項４に記載の電源システムであって、
前記制御装置は、前記一方の第１電力経路による電力の供給先を前記第１装置とし、前記一方の第２電力経路による電力の供給先を前記第２装置とした状態で、前記第１装置又は前記第２装置の消費電力量が、前記２つの第１電力経路又は前記２つの第２電力経路により供給可能な電力量を超えた場合に、前記スイッチの動作を制御して、前記一方の第１電力経路及び前記一方の第２電力経路による電力の供給先を前記第１装置又は第２装置のいずれかとするよう切り換える、
電源システム。
【請求項６】
請求項４又は５に記載の電源システムであって、
前記制御装置は、前記一方の第１電力経路及び前記一方の第２電力経路による電力の供給先を前記第１装置又は第２装置のいずれかとした状態で、前記第１装置又は前記第２装置の消費電力量が、前記２つの第１電力経路又は前記２つの第２電力経路により供給可能な電力量よりも低くなった場合に、前記スイッチの動作を制御して、前記一方の第１電力経路による電力の供給先を前記第１装置とし、前記一方の第２電力経路による電力の供給先を前記第２装置とするよう切り換える、
電源システム。
【請求項７】
請求項４乃至６のいずれかに記載の電源システムであって、
前記制御装置は、前記第１装置及び前記第２装置の消費電力量の合計が、前記２つの第１電力経路及び前記２つの第２電力経路により供給可能な電力量の合計を超えないよう、前記第１装置及び前記第２装置の少なくとも一方の消費電力量の上限値を設定する、
電源システム。
【請求項８】
請求項４乃至７のいずれかに記載の電源システムであって、
前記制御装置は、前記第１装置又は前記第２装置の消費電力量の上限値を、他方の前記第１電力経路又は他方の前記第２電力経路により供給可能な電力量の値に設定する、
電源システム。
【請求項９】
２つの第１電力経路から電力が供給される第１装置と、
２つの第２電力経路から電力が供給される第２装置と、を備え、
一方の前記第１電力経路は、前記第２装置に電力を供給可能なよう構成されており、
一方の前記第２電力経路は、前記第１装置に電力を供給可能なよう構成されている、
システム。
【請求項１０】
請求項９に記載のシステムであって、
前記一方の第１電力経路による電力の供給先を、前記第１装置又は前記第２装置のいずれかに切り換えると共に、前記一方の第２電力経路による電力の供給先を、前記第２装置又は前記第１装置のいずれかに切り換えるスイッチを備えた、
システム。
【請求項１１】
請求項１０に記載のシステムであって、
前記第１装置及び前記第２装置の少なくとも一方の消費電力量に基づいて、前記スイッチの動作を制御して、前記一方の第１電力経路及び前記一方の第２電力経路による電力の供給先を切り換える制御装置、
を備えたシステム。
【請求項１２】
請求項９乃至１１のいずれかに記載のシステムであって、
前記第１装置である第１サーバと、
前記第２装置である第２サーバと、
前記第１サーバ及び前記第２サーバと、前記第１電力経路及び前記第２電力経路を介して電力を供給する電源装置と、を収容したラックと、
を備えたシステム。
【請求項１３】
第１装置に電力を供給する２つの第１電力経路と、第２装置に電力を供給する２つの第２電力経路と、を有する電源システムの電力制御方法であって、
一方の前記第１電力経路による電力の供給先を、前記第１装置又は前記第２装置のいずれかに切り換えると共に、一方の前記第２電力経路による電力の供給先を、前記第２装置又は前記第１装置のいずれかに切り換える、
電力制御方法。
【請求項１４】
請求項１３に記載の電力制御方法であって、
前記一方の第１電力経路による電力の供給先を前記第１装置とし、前記一方の第２電力経路による電力の供給先を前記第２装置とした状態と、
前記一方の第１電力経路及び前記一方の第２電力経路による電力の供給先を、前記第１装置あるいは前記第２装置のいずれかとする状態と、
のいずれかに切り換える、
電力制御方法。
【請求項１５】
請求項１３又は１４に記載の電力制御方法であって、
前記第１装置及び前記第２装置の少なくとも一方の消費電力量に基づいて、前記一方の第１電力経路及び前記一方の第２電力経路による電力の供給先を切り換える、
電力制御方法。
【請求項１６】
第１装置に電力を供給する２つの第１電力経路と、第２装置に電力を供給する２つの第２電力経路と、を有する電源システムの電力制御装置であって、
一方の前記第１電力経路による電力の供給先を、前記第１装置又は前記第２装置のいずれかに切り換えると共に、一方の前記第２電力経路による電力の供給先を、前記第２装置又は前記第１装置のいずれかに切り換える、
電力制御装置。
【請求項１７】
請求項１６に記載の電力制御装置であって、
前記第１装置及び前記第２装置の少なくとも一方の消費電力量に基づいて、前記一方の第１電力経路及び前記一方の第２電力経路による電力の供給先を切り換える、
電力制御装置。
【請求項１８】
第１装置に電力を供給する２つの第１電力経路と、第２装置に電力を供給する２つの第２電力経路と、を有する電源システムの電力制御装置に、
一方の前記第１電力経路による電力の供給先を、前記第１装置又は前記第２装置のいずれかに切り換えると共に、一方の前記第２電力経路による電力の供給先を、前記第２装置又は前記第１装置のいずれかに切り換える、処理を実行させるプログラム。
【発明の詳細な説明】
【技術分野】
【０００１】
本発明は、電源システムにかかり、特に、複数の装置に電力を供給する電源システムに関する。
【背景技術】
【０００２】
複数のサーバを備えたラックシステムなどの情報処理システムにおいて、バスバーを用いて複数のサーバに給電する技術がある。この場合、直流の集中電源からバスバー経由で複数のサーバに給電することができ、直流から交流への変換損失を抑えることができるという利点がある。なお、バスバーとサーバとの距離はサーバの奥行長さにより変わってくるため、バスバーとサーバとは給電ケーブルにより接続される。
【０００３】
ここで、近年、サーバの高性能化や高密度実装化により、ラック内のサーバの消費電力が高くなっている場合がある。このようなサーバに直流給電をする際には、これまでの直流給電システムではバスバーのコネクタ仕様や、ＤＣ（Direct Current）給電ケーブル仕様がネックとなり、サーバに大電力を給電できない、という問題が生じる。
【０００４】
一方、上記問題を解決するためには、バスバーのコネクタを給電能力の高い大型のものに変えるという手段がある。ところが、バスバーを変更するため、既存の給電システムが使えないという問題がある。また、大型コネクタの使用により、バスバー上のコネクタの実装密度が低下する、という問題もある。
【先行技術文献】
【特許文献】
【０００５】
【特許文献１】特開２０１１−８１７１６号公報
【発明の概要】
【発明が解決しようとする課題】
【０００６】
ここで、サーバに大電力を給電する構成として、特許文献１に開示の技術がある。特許文献１では、複数のサーバ間で融通して電力を供給する構成を開示している。具体的には、各サーバには、それぞれ２つの電源が装備されており、２つの電源から供給された電力を一方のサーバから他方のサーバに供給可能なよう構成されている。
【０００７】
しかしながら、特許文献１の構成では、サーバ間で電力を融通している場合には、電力供給側のサーバの電力が不足する場合が生じ、サーバの電源が落ちてしまう、という問題が生じる。
【０００８】
このため、本発明の目的は、上述した課題である、装置の電力が不足する、ということを解決することができる電源システムを提供することにある。
【課題を解決するための手段】
【０００９】
本発明の一形態である電源システムは、
第１装置に電力を供給する２つの第１電力経路と、
第２装置に電力を供給する２つの第２電力経路と、を有し、
一方の前記第１電力経路は、前記第２装置に電力を供給可能なよう構成されており、
一方の前記第２電力経路は、前記第１装置に電力を供給可能なよう構成されている、
という構成をとる。
【００１０】
また、本発明の一形態であるシステムは、
２つの第１電力経路から電力が供給される第１装置と、
２つの第２電力経路から電力が供給される第２装置と、を備え、
一方の前記第１電力経路は、前記第２装置に電力を供給可能なよう構成されており、
一方の前記第２電力経路は、前記第１装置に電力を供給可能なよう構成されている、
という構成をとる。
【００１１】
また、本発明の一形態である電力制御方法は、
第１装置に電力を供給する２つの第１電力経路と、第２装置に電力を供給する２つの第２電力経路と、を有する電源システムの電力制御方法であって、
一方の前記第１電力経路による電力の供給先を、前記第１装置又は前記第２装置のいずれかに切り換えると共に、一方の前記第２電力経路による電力の供給先を、前記第２装置又は前記第１装置のいずれかに切り換える、
という構成をとる。
【００１２】
また、本発明の一形態である電力制御装置は、
第１装置に電力を供給する２つの第１電力経路と、第２装置に電力を供給する２つの第２電力経路と、を有する電源システムの電力制御装置であって、
一方の前記第１電力経路による電力の供給先を、前記第１装置又は前記第２装置のいずれかに切り換えると共に、一方の前記第２電力経路による電力の供給先を、前記第２装置又は前記第１装置のいずれかに切り換える、
という構成をとる。
【００１３】
また、本発明の一形態であるプログラムは、
第１装置に電力を供給する２つの第１電力経路と、第２装置に電力を供給する２つの第２電力経路と、を有する電源システムの電力制御装置に、
一方の前記第１電力経路による電力の供給先を、前記第１装置又は前記第２装置のいずれかに切り換えると共に、一方の前記第２電力経路による電力の供給先を、前記第２装置又は前記第１装置のいずれかに切り換える、処理を実行させる、
という構成をとる。
【発明の効果】
【００１４】
本発明は、以上のように構成されることにより、装置の電力が不足する、ということを解決することができる。
【図面の簡単な説明】
【００１５】
【図１】本発明の実施形態１におけるシステムの構成の概略を示す図である。
【図２】本発明の実施形態１におけるシステムの構成を示す図である。
【図３】図２に開示したシステムの構成の一部を示す図である。
【図４】図２に開示したシステムの動作を示す図である。
【図５】図２に開示したシステムの動作を示す図である。
【図６】図２に開示したシステムにおける電力制御の様子を示す図である。
【図７Ａ】図２に開示したシステムにおける電力制御の様子を示す図である。
【図７Ｂ】図２に開示したシステムにおける電力制御の動作を示すフローチャートである。
【図８】図２に開示したシステムの他の構成例を示す図である。
【図９】本発明の実施形態２における電源システムの構成を示す図である。
【図１０】本発明の実施形態２における電源システムの動作を示す図である。
【発明を実施するための形態】
【００１６】
＜実施形態１＞
本発明の第１の実施形態を、図１乃至図８を参照して説明する。図１乃至図３は、システムの構成を説明するための図である。図４乃至図７は、システムの動作を説明するための図である。図８は、システムの他の構成例を示す図である。
【００１７】
［構成の概略］
まず、図１に、本発明におけるシステムの構成の概略を示す。システムは、隣接して配置されたサーバＡ１０（第１装置）及びサーバＢ２０（第２装置）と、これらサーバＡ，Ｂに電力を供給する直流の集中電源５０及びバスバー３０と、バスバー３０とサーバＡ，Ｂとを接続する給電ケーブル３１〜３４と、を備えている。なお、サーバＡ１０とサーバＢ２０とは、さらに給電ケーブル３５にて接続されており、また、ＬＡＮ（Local Area Network）スイッチ４０及びＬＡＮケーブル４１を介して接続されている。
【００１８】
各サーバＡ，Ｂには、それぞれ２本の給電ケーブル３１〜３４が接続されている。つまり、サーバＡ１０には２本の給電ケーブル３１，３２（第１電力経路）が接続されており、サーバＢ２０には２本の給電ケーブル３３，３４（第２電力経路）が接続されている。
【００１９】
各サーバＡ，Ｂは、それぞれ２つの給電モジュール１０ａ，１０ｂ，２０ａ，２０ｂを備えている。具体的に、サーバＡ１０は、一方の給電ケーブル３１が接続されたサーバＡ用スイッチ付き給電モジュール１０ａと、他方の給電ケーブル３２が接続されたサーバＡ用給電モジュール１０ｂと、を備えている。サーバＢ２０は、一方の給電ケーブル３３が接続されたサーバＢ用スイッチ付き給電モジュール２０ａと、他方の給電ケーブル３４が接続されたサーバＢ用給電モジュール２０ｂと、を備えている。
【００２０】
さらに、各サーバＡ，Ｂのスイッチ付き給電モジュール１０ａ，２０ａ間は、給電ケーブル３５で接続されている。これにより、各サーバＡ，Ｂ間で、電力の融通が可能となっている。特に、本発明では、各サーバＡ，Ｂにそれぞれ接続された２つの給電ケーブルのうち、一方の給電ケーブル３１，３３から供給される電力のみが、サーバＡ，Ｂ間で電力を融通するよう構成されている。つまり、他方の給電ケーブル３２，３４からは、各サーバＡ，Ｂにそれぞれ給電された状態が維持されつつ、一方の給電ケーブル３１，３３からの電力を、電力不足となり得る隣接する他のサーバＡ，Ｂに給電することができる。
【００２１】
ここで、本発明におけるシステムは、例えば、データセンタに配置される複数段のラックを有するラックシステムである。この場合、ラックシステムは、ラックの各段に、サーバＡ１０、サーバＢ２０、集中電源５０、ＬＡＮスイッチ４０、などをそれぞれ収容している。但し、本発明におけるシステムは、いかなる構成であってもよい。
【００２２】
また、本実施形態では、情報処理装置であるサーバを電力の供給対象として説明するが、本発明における電力供給対象は、サーバであることに限定されず、いかなる装置であってもよい。
【００２３】
［構成］
次に、図２を参照して、システムの詳細な構成を説明する。上述したように、システムは、バスバー３０から延びる給電ケーブル３１〜３４に接続された、２台のサーバＡ１０，Ｂ２０を備えている。なお、バスバー３０から各サーバＡ，Ｂへは、直流給電されている。
【００２４】
サーバＡ１０には、バスバー３０から２本のサーバＡ用の給電ケーブル３１，３２が接続されている。そして、サーバＡ１０は、一方の給電ケーブル３１が接続されたサーバＡ用スイッチ付き給電モジュール１０ａと、他方の給電ケーブル３２が接続されたサーバＡ用給電モジュール１０ｂと、を備えており、それぞれの給電ケーブル３１，３２から電力供給を受けることができる。
【００２５】
同様に、サーバＢ２０には、バスバー３０から２本のサーバＢ用の給電ケーブル３３，３４が接続されている。そして、サーバＢ２０は、一方の給電ケーブル３３が接続されたサーバＢ用スイッチ付き給電モジュール２０ａと、他方の給電ケーブル３２が接続されたサーバＢ用給電モジュール２０ｂと、を備えており、それぞれの給電ケーブル３３，３４から電力供給を受けることができる。
【００２６】
また、サーバＡ１０のサーバＡ用スイッチ付き給電モジュール１０ａと、サーバＢ２０のサーバＢ用スイッチ付き給電モジュール２０ａとは、給電ケーブル３５を介して接続されている。これにより、給電ケーブル３５を介して、供給された電力を、サーバＡ１０とサーバＢ２０との間で融通することができる。
【００２７】
また、図２に示すように、サーバＡ１０は、マザーボード１１に搭載されたＢＭＣ（Baseboard Management Controller）１２と、演算装置などの負荷装置１３と、を備えている。ＢＭＣ１２は、サーバＡの管理を行う制御装置であり、後述するように、サーバＡ，Ｂ間で電力融通を行うために、スイッチ付き給電モジュール１０ａによる給電状態を制御する。同様に、サーバＢ２０は、マザーボード２１に搭載されたＢＭＣ２２と、演算装置などの負荷装置２３と、を備えている。なお、ＢＭＣ１２，２２の機能の詳細は後述する。
【００２８】
次に、図３を参照して、上述したサーバＡ用スイッチ付き給電モジュール１０ａとサーバＡ用給電モジュール１０ｂとの構成を説明する。まず、サーバＡ用給電モジュール１０ｂは、上述したようにサーバＡ用の他方の給電ケーブル３２が接続されているため、当該他方の給電ケーブル３２から常に電力供給を受けることができる。
【００２９】
また、サーバＡ用給電モジュール１０ｂは、負荷装置１３が接続された電力経路の電力量を検出することで、負荷装置１３の消費電力量を検出する電力センサ１８を備えている。この電力センサ１８によって検出された消費電力量は、ＢＭＣ１２によって監視されている。
【００３０】
サーバＡ用スイッチ付き給電モジュール１０ａは、上述したサーバＡ用の一方の給電ケーブル３１と上記負荷装置１３との間に配置されたスイッチ１４を備えている。また、スイッチ１４は、サーバＢ２０のサーバＢ用スイッチ付き給電モジュール２０ａのスイッチ２４と、給電ケーブル３５を介して接続されている。
【００３１】
そして、スイッチ１４は、２つのスイッチ回路１４ａ，１４ｂを備えており、これらを開閉することで、以下の２通りに接続状態を切り換える。１つの状態は、図２に示すように、サーバＡ用の一方の給電ケーブル３１からの電力を、サーバＡの負荷装置１３に供給する状態である。もう１つの状態は、図５に示すように、サーバＡ用の一方の給電ケーブル３１をサーバＢに搭載されたスイッチ２４と接続させ、当該サーバＡ用の一方の給電ケーブル３１からの電力をサーバＢの負荷装置２３に供給する状態である。
【００３２】
また、サーバＡ用スイッチ付き給電モジュール１０ａは、コントローラ１５と、電力センサ１６と、コンデンサ１７と、を備えている。電力センサ１６は、負荷装置１３が接続された電力経路の電力量を検出することで、負荷装置１３の消費電力量を検出する。この電力センサ１６によって検出された消費電力量は、ＢＭＣ１２によって監視されている。また、コントローラ１５は、ＢＭＣ１２からの制御指令に応じて、スイッチ１４のスイッチ回路１４ａ，１４ｂの開閉を切り換える。なお、上記コンデンサ１７は、スイッチ１４の切り換え時にサーバＡに不足する電力を供給できるよう、電力を蓄積するためのものである。
【００３３】
そして、サーバＢ２０のサーバＢ用給電モジュール２０ｂ及びサーバＢ用スイッチ付き給電モジュール２０ａも、上述したサーバＡ１０のものと同様の構成である。つまり、サーバＢ用給電モジュール２０ｂは、サーバＢ用の他方の給電ケーブル３４が接続されているため、当該他方の給電ケーブル３４からは常に電力供給を受けることができる。また、サーバＢ用給電モジュール２０ｂは、負荷装置２３の消費電力量を検出する電力センサを備えており、この電力センサによって検出された消費電力量は、ＢＭＣ２２によって監視されている。
【００３４】
また、サーバＢ用スイッチ付き給電モジュール２０ａは、上記サーバＡ用スイッチ付き給電モジュール１０ａと同様の構成を有する。つまり、サーバＢ用スイッチ付き給電モジュール２０ａのスイッチ２４は、２つのスイッチ回路２４ａ，２４ｂを備えており、これらを開閉することで、以下の２通りに接続状態を切り換える。１つの状態は、サーバＢ用の一方の給電ケーブル３３からの電力を、サーバＢの負荷装置２３に供給する状態である。もう１つの状態は、サーバＢ用の一方の給電ケーブル３３を、サーバＡに搭載されたスイッチ１４と接続させ、当該サーバＢ用の一方の給電ケーブル３３からの電力をサーバＡの負荷装置１３に供給する状態である。
【００３５】
また、サーバＢ用スイッチ付き給電モジュール２０ａは、コントローラと、電力センサと、コンデンサと、を備えている。電力センサは、負荷装置２３の消費電力量を検出し、ＢＭＣ２２によって監視されている。
【００３６】
次に、上述したサーバＡ１０に搭載されたＢＭＣ１２（制御装置）の詳細な構成を説明する。ＢＭＣ１２は、サーバＡ１０に搭載された２つの電力センサ１６，１８による検出値を読み取ることで、サーバＡ１０の負荷装置１３の消費電力量を検出する。また、ＢＭＣ１２は、隣接するサーバＢ２０に搭載されたＢＭＣ２２にＬＡＮ経由でアクセスすることで、当該サーバＢ２０のＢＭＣ２２で検出された当該サーバＢの負荷装置２３の消費電力量を検出する。
【００３７】
そして、ＢＭＣ１２は、サーバＡ１０とサーバＢ２０との消費電力量に基づいて、サーバＡ１０とサーバＢ２０との各スイッチ１４，２４を制御する指令を出す。つまり、サーバＡ用の一方の給電ケーブル３１による電力の供給先を、サーバＡあるいはサーバＢに切り換えるようスイッチ１４，２４を制御したり、サーバＢ用の一方の給電ケーブル３３による電力の供給先を、サーバＢあるいはサーバＡに切り換えるようスイッチ２４，１４を制御する。
【００３８】
例えば、ＢＭＣ１２は、サーバＡ又はサーバＢの消費電力量が、以下のような場合にスイッチ１４，２４を制御する。まず、サーバＡ用の一方の給電ケーブル３１による電力の供給先がサーバＡであり、サーバＢ用の一方の給電ケーブル３３による電力の供給先がサーバＢであるとする。このとき、サーバＡの消費電力量がサーバＡ用の２本の給電ケーブル３１，３２により供給可能な電力量を超えた場合、あるいは、サーバＢの消費電力がサーバＢ用の２本の給電ケーブル３３，３４により供給可能な電力量を超えた場合に、スイッチ１４，２４を制御する。具体的には、消費電力両が、２本の給電ケーブル（（３１，３２）又は（３３，３４））により供給可能な電力量を超えたサーバに、各サーバＡ，Ｂ用の一方の給電ケーブル３１，３３による電力を供給するよう、スイッチ１４，２４を切り換える。
【００３９】
このとき、ＢＭＣ１２は、サーバＡ１０あるいはサーバＢ２０の消費電力量の上限値を設定し、パワーキャッピングを行う。例えば、サーバＡ及びサーバＢの消費電力量の合計が、サーバＡ用の２本の給電ケーブル３１，３２及びサーバＢ用の２本の給電ケーブル３３，３４により供給可能な電力量の合計を超えないよう、サーバＡ又はサーバＢの消費電力量の上限値を設定する。一例としては、サーバＡの消費電力量の上限値を、サーバＡ用の他方の給電ケーブル３２により供給可能な電力量の値に設定する。あるいは、サーバＢの消費電力量の上限値を、サーバＢ用の他方の給電ケーブル３４により供給可能な電力量の値に設定する。なお、パワーキャッピングは、両方のサーバＡ，Ｂに対して行ってもよい。
【００４０】
また、ＢＭＣ１２は、上述した各サーバＡ，Ｂ用の一方の給電ケーブル３１，３３による電力を共にサーバＡ又はサーバＢに供給している状態で、サーバＡ又はサーバＢの消費電力量が下がった場合には、当該一方の給電ケーブル３１，３３による供給先を元に戻すよう、スイッチ１４，２４を切り換える。つまり、サーバＡの消費電力がサーバＡ用の２本の給電ケーブル３１，３２により供給可能な電力量より低くなった場合には、サーバＡ用の一方の給電ケーブル３１による電力の供給先をサーバＡとし、サーバＢ用の一方の給電ケーブル３３による電力の供給先をサーバＢとする。同様に、サーバＢの消費電力がサーバＢ用の２本の給電ケーブル３３，３４により供給可能な電力量より低くなった場合には、サーバＡ用の一方の給電ケーブル３１による電力の供給先をサーバＡとし、サーバＢ用の一方の給電ケーブル３３による電力の供給先をサーバＢとする。
【００４１】
なお、上述したＢＭＣ１２による消費電力量の監視やスイッチ１４，２４の切り換え制御は、サーバＢ２０に搭載されたＢＭＣ２２が行ってもよい。
【００４２】
［動作］
次に、上述したシステムによる電力制御の動作を、図２，図４乃至図７を参照して説明する。
【００４３】
まず、前提条件として、図２に示すように、サーバＡ１０に接続されたサーバＡ用の給電ケーブル３１，３２からは、それぞれ１０００Ｗの電力が供給されており、サーバＢ２０に接続されたサーバＢ用の給電ケーブル３３，３４からは、それぞれ１０００Ｗの電力が供給されていることとする。
【００４４】
上述した状況で、サーバＡとサーバＢとが使用できる合計消費電力量の上限は、４０００Ｗであることとする。また、電力を融通しない状態でのサーバＡ，Ｂは、バスバー３０からの給電分の電力のみを使えるものとする。つまり、バスバー３０から各給電モジュール１０ａ，１０ｂ，２０ａ，２０ｂへの給電が１０００Ｗであれば、サーバＡ，Ｂは、２０００Ｗまで使えることとする。
【００４５】
また、電力を融通する状態では、サーバＢからサーバＡに融通する場合は、サーバＡの消費電力量の上限値は３０００Ｗであり、サーバＢの消費電力量の上限値は１０００Ｗであることとする。逆に、サーバＡからサーバＢに電力を融通する場合は、サーバＡの消費電力量の上限値は１０００Ｗ、サーバＢの消費電力量の上限値は３０００Ｗであることとする。また、サーバＡ，Ｂの消費電力量は、電力の融通状態を問わず、３０００Ｗを超えないものとする。
【００４６】
なお、上記電力の供給量と、後述する各サーバＡ，Ｂによる消費電力量とは一例であって、本発明は、いかなる数値でも適用される。
【００４７】
まず、図６及び図７Ａのパターン１に示すように、ＢＭＣ１２で監視したサーバＡおよびサーバＢの消費電力量が、いずれも「電力≦１０００Ｗ」の状態である（図７ＢのステップＳ１でＹｅｓ）。この場合は、スイッチ付き給電モジュール１０ａ，２０ａ内のスイッチ１４，２４は、図２の状態である（図７ＢのステップＳ２）。つまり、サーバＡには、サーバＡ用の２本の給電ケーブル３１，３２から合計２０００Ｗの電力が供給されており、サーバＢには、サーバＢ用の２本の給電ケーブル３３，３４から合計２０００Ｗの電力が供給されている。
【００４８】
上記の状況から、サーバＡの消費電力量が「１０００Ｗ＜電力≦２０００Ｗ」に上昇し、かつ、サーバＢの消費電力量が上昇せずに「電力≦１０００Ｗ」のままの状態になったとする（図７ＢのステップＳ１でＹｅｓ）。この場合は、図６及び図７Ａのパターン２となるが、スイッチ１４，２４の切り換えは行われず、図２の状態のままである（図７ＢのステップＳ２）。
【００４９】
その後、更にサーバＡの消費電力量が、「電力＞２０００Ｗ」まで上昇し、かつ、サーバＢの消費電力量が上昇せずに「電力≦１０００Ｗ」のままの状態になったとする（図７ＢのステップＳ１でＮｏ，ステップＳ５でＹｅｓ）。この場合は、図６及び図７Ａのパターン３となり、スイッチ付き給電モジュール１０ａ，２０ａ内のスイッチ１４，２４は、図４の状態になる（図７ＢのステップＳ６）。つまり、サーバＢ用の一方の給電ケーブル３３による電力の供給先がサーバＡとなるようスイッチ１４，２４が切り換えられ、サーバＢからサーバＡに電力が融通される。これにより、３本の給電ケーブル３１，３２，３３からサーバＡに電力が供給される状態となる。
【００５０】
このとき、加えて、サーバＡの消費電力量が、サーバＡ用の２本の給電ケーブル３１，３２により供給可能な電力量を超えたため、サーバＢ２０の消費電力量の上限値を１０００Ｗに設定して、パワーキャッピングを行う。なお、このとき、サーバＡの消費電力量の上限値を３０００Ｗにパワーキャッピングしてもよい。つまり、両サーバＡ，Ｂの消費電力量が、電力供給量の全体を超えないよう制御する。
【００５１】
なお、上述したパターン２でサーバＡの消費電力量が２０００Ｗを超えると、スイッチ１４，２４が切り換えられてパターン３の状態となるが、スイッチ１４，２４の切り換えにはミリ秒からマイクロ秒の時間がかかる。この-間は、一時的にサーバＡの消費電力量が２０００Ｗを超えるが、コンデンサ１７に蓄電された電力によりサーバＡは正常に動作することとなる。
【００５２】
また、上述したパターン２の状態から、サーバＢの消費電力量だけが「１０００Ｗ＜電力≦２０００Ｗ」と上昇した場合は（図７ＢのステップＳ１でＮｏ，ステップＳ３でＹｅｓ）、図６及び図７Ａのパターン６の状態となる（図７ＢのステップＳ４）。この場合は、スイッチ付き給電モジュール１０ａ，２０ａ内のスイッチ１４，２４は、図２の状態のままである。この時、サーバＡまたはサーバＢが２０００Ｗ以上に消費電力が上昇しても電力融通できる状態にないため、サーバＡおよびサーバＢには、それぞれ上限値２０００Ｗのパワーキャッピングを設定する。
【００５３】
また、上述したパターン３から、サーバＡの消費電力量が低下して「１０００Ｗ＜電力≦２０００Ｗ」あるいは「電力≦１０００Ｗ」の状態となり、かつ、サーバＢの消費電力量が上昇せずに「電力≦１０００Ｗ」のままの状態になったとすると（図７ＢのステップＳ５でＮｏ，ステップＳ１でＹｅｓ）、パターン２あるいはパターン１の状態に戻る（図７ＢのステップＳ２）。このとき、パターン３におけるサーバＢからサーバＡへの電力の融通は解除され、スイッチ付き給電モジュール１０ａ，２０ａ内のスイッチ１４，２４は、図４の状態から図２の状態に戻る。
【００５４】
また、パターン１の状態から、サーバＢの消費電力量が「１０００Ｗ＜電力≦２０００Ｗ」に上昇し、かつ、サーバＡの消費電力量が上昇せずに「電力≦１０００Ｗ」のままの状態になったとする（図７ＢのステップＳ１でＹｅｓ）。この場合は、図６及び図７Ａのパターン４となるが、スイッチ１４，２４の切り換えは行われず、図２の状態のままである（図７ＢのステップＳ２）。
【００５５】
その後、更にサーバＢの消費電力量が、「電力＞２０００Ｗ」まで上昇し、かつ、サーバＡの消費電力量が上昇せずに「電力≦１０００Ｗ」のままの状態になったとする（図７ＢのステップＳ１でＮｏ，ステップＳ７でＹｅｓ）。この場合は、図６及び図７Ａのパターン５となり、スイッチ付き給電モジュール１０ａ，２０ａ内のスイッチ１４，２４は、図５の状態になる（図７ＢのステップＳ８）。つまり、サーバＡ用の一方の給電ケーブル３１による電力の供給先がサーバＢとなるようスイッチ１４，２４が切り換えられ、サーバＡからサーバＢに電力が融通される。これにより、３本の給電ケーブル３２，３３，３４からサーバＢに電力が供給される状態となる。
【００５６】
このとき、加えて、サーバＢの消費電力量が、サーバＢ用の２本の給電ケーブル３３，３４により供給可能な電力量を超えたため、サーバＡの消費電力量の上限値を１０００Ｗに設定して、パワーキャッピングを行う。なお、このとき、サーバＢの消費電力量の上限値を３０００Ｗにパワーキャッピングしてもよい。
【００５７】
また、上述したパターン４の状態から、サーバＡの消費電力量だけが「１０００Ｗ＜電力≦２０００Ｗ」と上昇した場合は（図７ＢのステップＳ１でＮｏ，ステップＳ３でＹｅｓ）、図６及び図７Ａのパターン６の状態となる（図７ＢのステップＳ４）。この場合は、スイッチ付き給電モジュール１０ａ，２０ａ内のスイッチ１４，２４は、図２の状態のままである。この時、サーバＡまたはサーバＢが２０００Ｗ以上に消費電力が上昇しても、電力融通できる状態にないため、サーバＡおよびサーバＢには、それぞれ上限値２０００Ｗのパワーキャッピングを設定する。
【００５８】
また、上述したパターン５から、サーバＢの消費電力量が低下して「１０００Ｗ＜電力≦２０００Ｗ」あるいは「電力≦１０００Ｗ」の状態となり、かつ、サーバＡの消費電力量が上昇せずに「電力≦１０００Ｗ」のままの状態になったとすると（図７ＢのステップＳ７でＮｏ，ステップＳ１でＹｅｓ）、パターン４あるいはパターン１の状態に戻る（図７ＢのステップＳ２）。このとき、パターン５におけるサーバＡからサーバＢへの電力の融通は解除され、スイッチ付き給電モジュール１０ａ，２０ａ内のスイッチ１４，２４は図２の状態に戻る。
【００５９】
また、上述したパターン６から、サーバＢの消費電力量が低下して「電力≦１０００Ｗ」の状態となると（図７ＢのステップＳ３でＮｏ，ステップＳ１でＹｅｓ）、サーバＡの消費電力量に応じて、パターン２又はパターン１の状態となる（図７ＢのステップＳ２）。同様に、パターン６から、サーバＡの消費電力量が低下して「電力≦１０００Ｗ」の状態となると（図７ＢのステップＳ３でＮｏ，ステップＳ１でＹｅｓ）、サーバＢの消費電力量に応じて、パターン４又はパターン１の状態となる（図７ＢのステップＳ２）。この場合は、スイッチ付き給電モジュール１０ａ，２０ａ内のスイッチ１４，２４は、図２の状態のままである。
【００６０】
以上のように、本発明によると、ＢＭＣ１２，２２で相互に隣接するサーバＡ，Ｂの電力を監視し、隣接サーバＡ，Ｂ同士を接続した給電ケーブル３５を通じて、電力融通している。これにより、消費電力量の大きいサーバに対しても、既存の給電システム（バスバー、給電ケーブル）を変更することなく、サーバＡ，Ｂに対する給電能力の増加が可能になる。これに加え、各サーバＡ，Ｂには、常に１本の給電ケーブル３２，３４から電力が供給されている状態であるため、上述したように電力融通状態であっても、各サーバＡ，Ｂが電力不足になることを抑制することができる。
【００６１】
ここで、上述したシステムの構成の変形例を、図８を参照して説明する。図８に示すシステムは、上述したシステムと同様の構成を備えているが、サーバＡ，Ｂの構成が異なる。サーバＡ１０は、複数のマザーボード１３１〜１３４を備えており、それぞれが負荷装置１４１〜１４４を搭載している。そして、サーバＡ１０は、複数の負荷装置１４１〜１４４にそれぞれ電力を供給する分電ボード１２０を備えており、当該分電ボード１２０に上述したＢＭＣ１２と同等の機能を有するＣＭＣ（Chassis Management Controller）１２１を備えている。
【００６２】
また、サーバＡ１０には、ＬＡＮスイッチ４０及びＬＡＮケーブル４１を介してサーバＢ２０が接続されており、図示しないが、サーバＢ２０も同様に、複数の負荷装置を備えた構成となっている。
【００６３】
上記構成であっても、ＣＭＣ１２１が各サーバＡ，Ｂの負荷装置の消費電力量を監視し、スイッチ１４の接続状態を制御することで、隣接サーバＡ，Ｂ同士を接続した給電ケーブル３５を通じて、電力融通することができる。これにより、消費電力量の大きいサーバに対して給電能力の増加が可能になる。これに加え、各サーバＡ，Ｂには、常に１本の給電ケーブル３２，３４から電力が供給されている状態であるため、各サーバＡ，Ｂが電力不足になることを抑制することができる。
【００６４】
＜実施形態２＞
次に、本発明の第２の実施形態を、図９乃至図１０を参照して説明する。図９は、実施形態２におけるシステムの構成を示す図であり、図１０は、その動作を示す図である。なお、本実施形態におけるシステムは、実施形態１で説明したシステムの構成のさらなる概略を示している。
【００６５】
図１に示すシステムは、第１装置１００に電力を供給する２つの第１電力経路１０１，１０２と、第２装置２００に電力を供給する２つの第２電力経路２０１，２０２と、を有している。そして、一方の第１電力経路１０１は、第２装置２００に電力を供給可能なよう構成されており、一方の第２電力経路２０１は、第１装置１００に電力を供給可能なよう構成されている、
【００６６】
上記システムによると、まず、第１装置１００に対して、２つの第１電力経路１０１，１０２から電力が供給され、第２装置２００に対して、２つの第２電力経路２０１，２０２から電力が供給された状態となる（ステップＳ１）。また、一方の第１電力経路１０１による電力の供給先を、第１装置１００から第２装置２００に切り換えたり、一方の第２電力経路２０１による電力の供給先を、第２装置２００から第１装置１００に切り換えることができる（ステップＳ２）。
【００６７】
これにより、第１装置１００と第２装置２００との間で電力融通することができ、消費電力量の大きい装置に対して給電能力の増加が可能になる。これに加え、各装置には、常に１本の電力経路から電力が供給されている状態であるため、各装置が電力不足になることを抑制することができる。
【００６８】
＜付記＞
上記実施形態の一部又は全部は、以下の付記のようにも記載されうる。以下、本発明における電源システム、システム、電力制御方法、電力制御装置、プログラムの構成の概略を説明する。但し、本発明は、以下の構成に限定されない。
【００６９】
（付記１）
第１装置に電力を供給する２つの第１電力経路と、
第２装置に電力を供給する２つの第２電力経路と、を有し、
一方の前記第１電力経路は、前記第２装置に電力を供給可能なよう構成されており、
一方の前記第２電力経路は、前記第１装置に電力を供給可能なよう構成されている、
電源システム。
【００７０】
（付記２）
付記１に記載の電源システムであって、
前記一方の第１電力経路による電力の供給先を、前記第１装置又は前記第２装置のいずれかに切り換えると共に、前記一方の第２電力経路による電力の供給先を、前記第２装置又は前記第１装置のいずれかに切り換えるスイッチを備えた、
電源システム。
【００７１】
（付記３）
付記２に記載の電源システムであって、
前記スイッチは、
前記一方の第１電力経路による電力の供給先を前記第１装置とし、前記一方の第２電力経路による電力の供給先を前記第２装置とした状態と、
前記一方の第１電力経路及び前記一方の第２電力経路による電力の供給先を、前記第１装置あるいは前記第２装置のいずれかとする状態と、
のいずれかに切り換える、
電源システム。
【００７２】
（付記４）
付記２又は３に記載の電源システムであって、
前記第１装置及び前記第２装置の少なくとも一方の消費電力量に基づいて、前記スイッチの動作を制御して、前記一方の第１電力経路及び前記一方の第２電力経路による電力の供給先を切り換える制御装置、
を備えた電源システム。
【００７３】
（付記５）
付記４に記載の電源システムであって、
前記制御装置は、前記一方の第１電力経路による電力の供給先を前記第１装置とし、前記一方の第２電力経路による電力の供給先を前記第２装置とした状態で、前記第１装置又は前記第２装置の消費電力量が、前記２つの第１電力経路又は前記２つの第２電力経路により供給可能な電力量を超えた場合に、前記スイッチの動作を制御して、前記一方の第１電力経路及び前記一方の第２電力経路による電力の供給先を前記第１装置又は第２装置のいずれかとするよう切り換える、
電源システム。
【００７４】
（付記６）
付記４又は５に記載の電源システムであって、
前記制御装置は、前記一方の第１電力経路及び前記一方の第２電力経路による電力の供給先を前記第１装置又は第２装置のいずれかとした状態で、前記第１装置又は前記第２装置の消費電力量が、前記２つの第１電力経路又は前記２つの第２電力経路により供給可能な電力量よりも低くなった場合に、前記スイッチの動作を制御して、前記一方の第１電力経路による電力の供給先を前記第１装置とし、前記一方の第２電力経路による電力の供給先を前記第２装置とするよう切り換える、
電源システム。
【００７５】
（付記７）
付記４乃至６のいずれかに記載の電源システムであって、
前記制御装置は、前記第１装置及び前記第２装置の消費電力量の合計が、前記２つの第１電力経路及び前記２つの第２電力経路により供給可能な電力量の合計を超えないよう、前記第１装置及び前記第２装置の少なくとも一方の消費電力量の上限値を設定する、
電源システム。
【００７６】
（付記８）
付記４乃至７のいずれかに記載の電源システムであって、
前記制御装置は、前記第１装置又は前記第２装置の消費電力量の上限値を、他方の前記第１電力経路又は他方の前記第２電力経路により供給可能な電力量の値に設定する、
電源システム。
【００７７】
（付記９）
２つの第１電力経路から電力が供給される第１装置と、
２つの第２電力経路から電力が供給される第２装置と、を備え、
一方の前記第１電力経路は、前記第２装置に電力を供給可能なよう構成されており、
一方の前記第２電力経路は、前記第１装置に電力を供給可能なよう構成されている、
システム。
【００７８】
（付記１０）
付記９に記載のシステムであって、
前記一方の第１電力経路による電力の供給先を、前記第１装置又は前記第２装置のいずれかに切り換えると共に、前記一方の第２電力経路による電力の供給先を、前記第２装置又は前記第１装置のいずれかに切り換えるスイッチを備えた、
システム。
【００７９】
（付記１１）
付記１０に記載のシステムであって、
前記第１装置及び前記第２装置の少なくとも一方の消費電力量に基づいて、前記スイッチの動作を制御して、前記一方の第１電力経路及び前記一方の第２電力経路による電力の供給先を切り換える制御装置、
を備えたシステム。
【００８０】
（付記１２）
付記９乃至１１のいずれかに記載のシステムであって、
前記第１装置である第１サーバと、
前記第２装置である第２サーバと、
前記第１サーバ及び前記第２サーバと、前記第１電力経路及び前記第２電力経路を介して電力を供給する電源装置と、を収容したラックと、
を備えたシステム。
【００８１】
（付記１３）
第１装置に電力を供給する２つの第１電力経路と、第２装置に電力を供給する２つの第２電力経路と、を有する電源システムの電力制御方法であって、
一方の前記第１電力経路による電力の供給先を、前記第１装置又は前記第２装置のいずれかに切り換えると共に、一方の前記第２電力経路による電力の供給先を、前記第２装置又は前記第１装置のいずれかに切り換える、
電力制御方法。
【００８２】
（付記１４）
付記１３に記載の電力制御方法であって、
前記一方の第１電力経路による電力の供給先を前記第１装置とし、前記一方の第２電力経路による電力の供給先を前記第２装置とした状態と、
前記一方の第１電力経路及び前記一方の第２電力経路による電力の供給先を、前記第１装置あるいは前記第２装置のいずれかとする状態と、
のいずれかに切り換える、
電力制御方法。
【００８３】
（付記１５）
付記１３又は１４に記載の電力制御方法であって、
前記第１装置及び前記第２装置の少なくとも一方の消費電力量に基づいて、前記一方の第１電力経路及び前記一方の第２電力経路による電力の供給先を切り換える、
電力制御方法。
【００８４】
（付記１６）
第１装置に電力を供給する２つの第１電力経路と、第２装置に電力を供給する２つの第２電力経路と、を有する電源システムの電力制御装置であって、
一方の前記第１電力経路による電力の供給先を、前記第１装置又は前記第２装置のいずれかに切り換えると共に、一方の前記第２電力経路による電力の供給先を、前記第２装置又は前記第１装置のいずれかに切り換える、
電力制御装置。
【００８５】
（付記１７）
付記１６に記載の電力制御装置であって、
前記第１装置及び前記第２装置の少なくとも一方の消費電力量に基づいて、前記一方の第１電力経路及び前記一方の第２電力経路による電力の供給先を切り換える、
電力制御装置。
【００８６】
（付記１８）
第１装置に電力を供給する２つの第１電力経路と、第２装置に電力を供給する２つの第２電力経路と、を有する電源システムの電力制御装置に、
一方の前記第１電力経路による電力の供給先を、前記第１装置又は前記第２装置のいずれかに切り換えると共に、一方の前記第２電力経路による電力の供給先を、前記第２装置又は前記第１装置のいずれかに切り換える、処理を実行させるプログラム。
【００８７】
（付記１９）
付記１８に記載のプログラムであって、
前記電力制御装置に、
前記第１装置及び前記第２装置の少なくとも一方の消費電力量に基づいて、前記一方の第１電力経路及び前記一方の第２電力経路による電力の供給先を切り換える、処理を実行させるプログラム。
【００８８】
なお、上述したプログラムは、記憶装置に記憶されていたり、コンピュータが読み取り可能な記録媒体に記録されている。例えば、記録媒体は、フレキシブルディスク、光ディスク、光磁気ディスク、及び、半導体メモリ等の可搬性を有する媒体である。
【００８９】
以上、上記実施形態等を参照して本願発明を説明したが、本願発明は、上述した実施形態に限定されるものではない。本願発明の構成や詳細には、本願発明の範囲内で当業者が理解しうる様々な変更をすることができる。
【符号の説明】
【００９０】
１０  サーバＡ
１０ａ  サーバＡ用スイッチ付き給電モジュール
１０ｂ  サーバＡ用給電モジュール
１１  マザーボード
１２  ＢＭＣ
１３  負荷装置
１４  スイッチ
１４ａ，１４ｂ  スイッチ回路
１５  コントローラ
１６  電力センサ
１７  コンデンサ
１８  電力センサ
２０  サーバＢ
２０ａ  サーバＢ用スイッチ付き給電モジュール
２０ｂ  サーバＢ用給電モジュール
２１  マザーボード
２２  ＢＭＣ
２３  負荷装置
２４  スイッチ
２４ａ，１４ｂ  スイッチ回路
３０  バスバー
３１，３２，３３，３４，３５  給電ケーブル
４０  ＬＡＮスイッチ
４１  ＬＡＮケーブル
５０  集中電源
１００  第１装置
１０１，１０２  第１電力経路
２００  第２装置
２０１，２０２  第２電力経路
【図１】
2018160118.tif 000003
【図２】
2018160118.tif 000004
【図３】
2018160118.tif 000005
【図４】
2018160118.tif 000006
【図５】
2018160118.tif 000007
【図６】
2018160118.tif 000008
【図７Ａ】
2018160118.tif 000009
【図７Ｂ】
2018160118.tif 000010
【図８】
2018160118.tif 000011
【図９】
2018160118.tif 000012
【図１０】
2018160118.tif 000013
【手続補正書】
【提出日】平成29年11月30日(2017.11.30)
【手続補正１】
【補正対象書類名】特許請求の範囲
【補正対象項目名】全文
【補正方法】変更
【補正の内容】
【特許請求の範囲】
【請求項１】
第１装置に電力を供給する２つの第１電力経路と、
第２装置に電力を供給する２つの第２電力経路と、を有し、
一方の前記第１電力経路は、前記第２装置に電力を供給可能なよう構成されており、
他方の前記第１電力系路は、前記第１装置に常に電力を供給可能なよう構成されており、
一方の前記第２電力経路は、前記第１装置に電力を供給可能なよう構成されており、
他方の前記第２電力系路は、前記第２装置に常に電力を供給可能なよう構成されている、
電源システム。
【請求項２】
請求項１に記載の電源システムであって、
前記一方の第１電力経路による電力の供給先を、前記第１装置又は前記第２装置のいずれかに切り換えると共に、前記一方の第２電力経路による電力の供給先を、前記第２装置又は前記第１装置のいずれかに切り換えるスイッチを備えた、
電源システム。
【請求項３】
請求項２に記載の電源システムであって、
前記第１装置及び前記第２装置の少なくとも一方の消費電力量に基づいて、前記スイッチの動作を制御して、前記一方の第１電力経路及び前記一方の第２電力経路による電力の供給先を切り換える制御装置、
を備えた電源システム。
【請求項４】
第１装置に電力を供給する２つの第１電力経路と、
第２装置に電力を供給する２つの第２電力経路と、を有し、
一方の前記第１電力経路は、前記第２装置に電力を供給可能なよう構成されており、
一方の前記第２電力経路は、前記第１装置に電力を供給可能なよう構成されており、
さらに、前記一方の第１電力経路による電力の供給先を、前記第１装置又は前記第２装置のいずれかに切り換えると共に、前記一方の第２電力経路による電力の供給先を、前記第２装置又は前記第１装置のいずれかに切り換えるスイッチと、
前記第１装置及び前記第２装置の少なくとも一方の消費電力量に基づいて、前記スイッチの動作を制御して、前記一方の第１電力経路及び前記一方の第２電力経路による電力の供給先を切り換える制御装置と、
を備えた、電源システム。
【請求項５】
請求項２乃至４のいずれかに記載の電源システムであって、
前記スイッチは、
前記一方の第１電力経路による電力の供給先を前記第１装置とし、前記一方の第２電力経路による電力の供給先を前記第２装置とした状態と、
前記一方の第１電力経路及び前記一方の第２電力経路による電力の供給先を、前記第１装置あるいは前記第２装置のいずれかとする状態と、
のいずれかに切り換える、
電源システム。
【請求項６】
請求項３又は４に記載の電源システムであって、
前記制御装置は、前記一方の第１電力経路による電力の供給先を前記第１装置とし、前記一方の第２電力経路による電力の供給先を前記第２装置とした状態で、前記第１装置又は前記第２装置の消費電力量が、前記２つの第１電力経路又は前記２つの第２電力経路により供給可能な電力量を超えた場合に、前記スイッチの動作を制御して、前記一方の第１電力経路及び前記一方の第２電力経路による電力の供給先を前記第１装置又は第２装置のいずれかとするよう切り換える、
電源システム。
【請求項７】
請求項３，４又は６に記載の電源システムであって、
前記制御装置は、前記一方の第１電力経路及び前記一方の第２電力経路による電力の供給先を前記第１装置又は第２装置のいずれかとした状態で、前記第１装置又は前記第２装置の消費電力量が、前記２つの第１電力経路又は前記２つの第２電力経路により供給可能な電力量よりも低くなった場合に、前記スイッチの動作を制御して、前記一方の第１電力経路による電力の供給先を前記第１装置とし、前記一方の第２電力経路による電力の供給先を前記第２装置とするよう切り換える、
電源システム。
【請求項８】
請求項３，４，６又は７に記載の電源システムであって、
前記制御装置は、前記第１装置及び前記第２装置の消費電力量の合計が、前記２つの第１電力経路及び前記２つの第２電力経路により供給可能な電力量の合計を超えないよう、前記第１装置及び前記第２装置の少なくとも一方の消費電力量の上限値を設定する、
電源システム。
【請求項９】
請求項３，４，６，７又は８に記載の電源システムであって、
前記制御装置は、前記第１装置又は前記第２装置の消費電力量の上限値を、他方の前記第１電力経路又は他方の前記第２電力経路により供給可能な電力量の値に設定する、
電源システム。
【請求項１０】
２つの第１電力経路から電力が供給される第１装置と、
２つの第２電力経路から電力が供給される第２装置と、を備え、
一方の前記第１電力経路は、前記第２装置に電力を供給可能なよう構成されており、
他方の前記第１電力系路は、前記第１装置に常に電力を供給可能なよう構成されており、
一方の前記第２電力経路は、前記第１装置に電力を供給可能なよう構成されており、
他方の前記第２電力系路は、前記第２装置に常に電力を供給可能なよう構成されている、
システム。
【請求項１１】
２つの第１電力経路から電力が供給される第１装置と、
２つの第２電力経路から電力が供給される第２装置と、を備え、
一方の前記第１電力経路は、前記第２装置に電力を供給可能なよう構成されており、
一方の前記第２電力経路は、前記第１装置に電力を供給可能なよう構成されており、
さらに、前記一方の第１電力経路による電力の供給先を、前記第１装置又は前記第２装置のいずれかに切り換えると共に、前記一方の第２電力経路による電力の供給先を、前記第２装置又は前記第１装置のいずれかに切り換えるスイッチと、
前記第１装置及び前記第２装置の少なくとも一方の消費電力量に基づいて、前記スイッチの動作を制御して、前記一方の第１電力経路及び前記一方の第２電力経路による電力の供給先を切り換える制御装置と、
を備えた、システム。
【請求項１２】
請求項１０又は１１に記載のシステムであって、
前記第１装置である第１サーバと、
前記第２装置である第２サーバと、
前記第１サーバ及び前記第２サーバと、前記第１電力経路及び前記第２電力経路を介して電力を供給する電源装置と、を収容したラックと、
を備えたシステム。
【請求項１３】
第１装置に電力を供給する２つの第１電力経路と、第２装置に電力を供給する２つの第２電力経路と、を有する電源システムの電力制御方法であって、
一方の前記第１電力経路による電力の供給先を、前記第１装置又は前記第２装置のいずれかに切り換えると共に、一方の前記第２電力経路による電力の供給先を、前記第２装置又は前記第１装置のいずれかに切り換え、
他方の前記第１電力系路は、前記第１装置に常に電力を供給し、
他方の前記第２電力系路は、前記第２装置に常に電力を供給する、
電力制御方法。
【請求項１４】
第１装置に電力を供給する２つの第１電力経路と、第２装置に電力を供給する２つの第２電力経路と、を有する電源システムの電力制御方法であって、
一方の前記第１電力経路による電力の供給先を、前記第１装置又は前記第２装置のいずれかに切り換えると共に、一方の前記第２電力経路による電力の供給先を、前記第２装置又は前記第１装置のいずれかに切り換え、さらに、前記第１装置及び前記第２装置の少なくとも一方の消費電力量に基づいて、前記一方の第１電力経路及び前記一方の第２電力経路による電力の供給先を切り換える、
電力制御方法。
【請求項１５】
請求項１３又は１４に記載の電力制御方法であって、
前記一方の第１電力経路による電力の供給先を前記第１装置とし、前記一方の第２電力経路による電力の供給先を前記第２装置とした状態と、
前記一方の第１電力経路及び前記一方の第２電力経路による電力の供給先を、前記第１装置あるいは前記第２装置のいずれかとする状態と、
のいずれかに切り換える、
電力制御方法。
【請求項１６】
第１装置に電力を供給する２つの第１電力経路と、第２装置に電力を供給する２つの第２電力経路と、を有する電源システムの電力制御装置であって、
一方の前記第１電力経路による電力の供給先を、前記第１装置又は前記第２装置のいずれかに切り換えると共に、一方の前記第２電力経路による電力の供給先を、前記第２装置又は前記第１装置のいずれかに切り換え、
他方の前記第１電力系路は、前記第１装置に常に電力を供給し、
他方の前記第２電力系路は、前記第２装置に常に電力を供給する、
電力制御装置。
【請求項１７】
第１装置に電力を供給する２つの第１電力経路と、第２装置に電力を供給する２つの第２電力経路と、を有する電源システムの電力制御装置であって、
一方の前記第１電力経路による電力の供給先を、前記第１装置又は前記第２装置のいずれかに切り換えると共に、一方の前記第２電力経路による電力の供給先を、前記第２装置又は前記第１装置のいずれかに切り換え、さらに、前記第１装置及び前記第２装置の少なくとも一方の消費電力量に基づいて、前記一方の第１電力経路及び前記一方の第２電力経路による電力の供給先を切り換える、
電力制御装置。
【請求項１８】
第１装置に電力を供給する２つの第１電力経路と、第２装置に電力を供給する２つの第２電力経路と、を有する電源システムの電力制御装置に、
一方の前記第１電力経路による電力の供給先を、前記第１装置又は前記第２装置のいずれかに切り換えると共に、一方の前記第２電力経路による電力の供給先を、前記第２装置又は前記第１装置のいずれかに切り換え、さらに、前記第１装置及び前記第２装置の少なくとも一方の消費電力量に基づいて、前記一方の第１電力経路及び前記一方の第２電力経路による電力の供給先を切り換える、処理を実行させるプログラム。
【手続補正書】
【提出日】平成30年3月6日(2018.3.6)
【手続補正１】
【補正対象書類名】特許請求の範囲
【補正対象項目名】全文
【補正方法】変更
【補正の内容】
【特許請求の範囲】
【請求項１】
第１装置に電力を供給する２つの第１電力経路と、
第２装置に電力を供給する２つの第２電力経路と、を有し、
一方の前記第１電力経路は、前記第２装置に電力を供給可能なよう構成されており、
他方の前記第１電力経路は、前記第１装置に常に電力を供給可能なよう構成されており、
一方の前記第２電力経路は、前記第１装置に電力を供給可能なよう構成されており、
他方の前記第２電力経路は、前記第２装置に常に電力を供給可能なよう構成されている、
電源システム。
【請求項２】
請求項１に記載の電源システムであって、
前記一方の第１電力経路による電力の供給先を、前記第１装置又は前記第２装置のいずれかに切り換えると共に、前記一方の第２電力経路による電力の供給先を、前記第２装置又は前記第１装置のいずれかに切り換えるスイッチを備えた、
電源システム。
【請求項３】
請求項２に記載の電源システムであって、
前記第１装置及び前記第２装置の少なくとも一方の消費電力量に基づいて、前記スイッチの動作を制御して、前記一方の第１電力経路及び前記一方の第２電力経路による電力の供給先を切り換える制御装置、
を備えた電源システム。
【請求項４】
第１装置に電力を供給する２つの第１電力経路と、
第２装置に電力を供給する２つの第２電力経路と、を有し、
一方の前記第１電力経路は、前記第２装置に電力を供給可能なよう構成されており、
一方の前記第２電力経路は、前記第１装置に電力を供給可能なよう構成されており、
さらに、前記一方の第１電力経路による電力の供給先を、前記第１装置又は前記第２装置のいずれかに切り換えると共に、前記一方の第２電力経路による電力の供給先を、前記第２装置又は前記第１装置のいずれかに切り換えるスイッチと、
前記第１装置及び前記第２装置の少なくとも一方の消費電力量に基づいて、前記スイッチの動作を制御して、前記一方の第１電力経路及び前記一方の第２電力経路による電力の供給先を切り換える制御装置と、
を備えた、電源システム。
【請求項５】
請求項２乃至４のいずれかに記載の電源システムであって、
前記スイッチは、
前記一方の第１電力経路による電力の供給先を前記第１装置とし、前記一方の第２電力経路による電力の供給先を前記第２装置とした状態と、
前記一方の第１電力経路及び前記一方の第２電力経路による電力の供給先を、前記第１装置あるいは前記第２装置のいずれかとする状態と、
のいずれかに切り換える、
電源システム。
【請求項６】
請求項３又は４に記載の電源システムであって、
前記制御装置は、前記一方の第１電力経路による電力の供給先を前記第１装置とし、前記一方の第２電力経路による電力の供給先を前記第２装置とした状態で、前記第１装置又は前記第２装置の消費電力量が、前記２つの第１電力経路又は前記２つの第２電力経路により供給可能な電力量を超えた場合に、前記スイッチの動作を制御して、前記一方の第１電力経路及び前記一方の第２電力経路による電力の供給先を前記第１装置又は第２装置のいずれかとするよう切り換える、
電源システム。
【請求項７】
請求項３，４又は６に記載の電源システムであって、
前記制御装置は、前記一方の第１電力経路及び前記一方の第２電力経路による電力の供給先を前記第１装置又は第２装置のいずれかとした状態で、前記第１装置又は前記第２装置の消費電力量が、前記２つの第１電力経路又は前記２つの第２電力経路により供給可能な電力量よりも低くなった場合に、前記スイッチの動作を制御して、前記一方の第１電力経路による電力の供給先を前記第１装置とし、前記一方の第２電力経路による電力の供給先を前記第２装置とするよう切り換える、
電源システム。
【請求項８】
請求項３，４，６又は７に記載の電源システムであって、
前記制御装置は、前記第１装置及び前記第２装置の消費電力量の合計が、前記２つの第１電力経路及び前記２つの第２電力経路により供給可能な電力量の合計を超えないよう、前記第１装置及び前記第２装置の少なくとも一方の消費電力量の上限値を設定する、
電源システム。
【請求項９】
請求項３，４，６，７又は８に記載の電源システムであって、
前記制御装置は、前記第１装置又は前記第２装置の消費電力量の上限値を、他方の前記第１電力経路又は他方の前記第２電力経路により供給可能な電力量の値に設定する、
電源システム。
【請求項１０】
２つの第１電力経路から電力が供給される第１装置と、
２つの第２電力経路から電力が供給される第２装置と、を備え、
一方の前記第１電力経路は、前記第２装置に電力を供給可能なよう構成されており、
他方の前記第１電力経路は、前記第１装置に常に電力を供給可能なよう構成されており、
一方の前記第２電力経路は、前記第１装置に電力を供給可能なよう構成されており、
他方の前記第２電力経路は、前記第２装置に常に電力を供給可能なよう構成されている、
システム。
【請求項１１】
２つの第１電力経路から電力が供給される第１装置と、
２つの第２電力経路から電力が供給される第２装置と、を備え、
一方の前記第１電力経路は、前記第２装置に電力を供給可能なよう構成されており、
一方の前記第２電力経路は、前記第１装置に電力を供給可能なよう構成されており、
さらに、前記一方の第１電力経路による電力の供給先を、前記第１装置又は前記第２装置のいずれかに切り換えると共に、前記一方の第２電力経路による電力の供給先を、前記第２装置又は前記第１装置のいずれかに切り換えるスイッチと、
前記第１装置及び前記第２装置の少なくとも一方の消費電力量に基づいて、前記スイッチの動作を制御して、前記一方の第１電力経路及び前記一方の第２電力経路による電力の供給先を切り換える制御装置と、
を備えた、システム。
【請求項１２】
請求項１０又は１１に記載のシステムであって、
前記第１装置である第１サーバと、
前記第２装置である第２サーバと、
前記第１サーバ及び前記第２サーバと、前記第１電力経路及び前記第２電力経路を介して電力を供給する電源装置と、を収容したラックと、
を備えたシステム。
【請求項１３】
第１装置に電力を供給する２つの第１電力経路と、第２装置に電力を供給する２つの第２電力経路と、を有する電源システムの電力制御方法であって、
一方の前記第１電力経路による電力の供給先を、前記第１装置又は前記第２装置のいずれかに切り換えると共に、一方の前記第２電力経路による電力の供給先を、前記第２装置又は前記第１装置のいずれかに切り換え、
他方の前記第１電力経路は、前記第１装置に常に電力を供給し、
他方の前記第２電力経路は、前記第２装置に常に電力を供給する、
電力制御方法。
【請求項１４】
第１装置に電力を供給する２つの第１電力経路と、第２装置に電力を供給する２つの第２電力経路と、を有する電源システムの電力制御方法であって、
一方の前記第１電力経路による電力の供給先を、前記第１装置又は前記第２装置のいずれかに切り換えると共に、一方の前記第２電力経路による電力の供給先を、前記第２装置又は前記第１装置のいずれかに切り換え、さらに、前記第１装置及び前記第２装置の少なくとも一方の消費電力量に基づいて、前記一方の第１電力経路及び前記一方の第２電力経路による電力の供給先を切り換える、
電力制御方法。
【請求項１５】
請求項１３又は１４に記載の電力制御方法であって、
前記一方の第１電力経路による電力の供給先を前記第１装置とし、前記一方の第２電力経路による電力の供給先を前記第２装置とした状態と、
前記一方の第１電力経路及び前記一方の第２電力経路による電力の供給先を、前記第１装置あるいは前記第２装置のいずれかとする状態と、
のいずれかに切り換える、
電力制御方法。
【請求項１６】
第１装置に電力を供給する２つの第１電力経路と、第２装置に電力を供給する２つの第２電力経路と、を有する電源システムの電力制御装置であって、
一方の前記第１電力経路による電力の供給先を、前記第１装置又は前記第２装置のいずれかに切り換えると共に、一方の前記第２電力経路による電力の供給先を、前記第２装置又は前記第１装置のいずれかに切り換え、
他方の前記第１電力経路は、前記第１装置に常に電力を供給し、
他方の前記第２電力経路は、前記第２装置に常に電力を供給する、
電力制御装置。
【請求項１７】
第１装置に電力を供給する２つの第１電力経路と、第２装置に電力を供給する２つの第２電力経路と、を有する電源システムの電力制御装置であって、
一方の前記第１電力経路による電力の供給先を、前記第１装置又は前記第２装置のいずれかに切り換えると共に、一方の前記第２電力経路による電力の供給先を、前記第２装置又は前記第１装置のいずれかに切り換え、さらに、前記第１装置及び前記第２装置の少なくとも一方の消費電力量に基づいて、前記一方の第１電力経路及び前記一方の第２電力経路による電力の供給先を切り換える、
電力制御装置。
【請求項１８】
第１装置に電力を供給する２つの第１電力経路と、第２装置に電力を供給する２つの第２電力経路と、を有する電源システムの電力制御装置に、
一方の前記第１電力経路による電力の供給先を、前記第１装置又は前記第２装置のいずれかに切り換えると共に、一方の前記第２電力経路による電力の供給先を、前記第２装置又は前記第１装置のいずれかに切り換え、さらに、前記第１装置及び前記第２装置の少なくとも一方の消費電力量に基づいて、前記一方の第１電力経路及び前記一方の第２電力経路による電力の供給先を切り換える、処理を実行させるプログラム。